(57)【要約】【課題】立ちはぜ折板屋根Ｒの上に緑化基盤材Ａ（単位緑化基盤材１０）を安定的に固定し、それを利用して立ちはぜ折板屋根緑化構造体を造る。【解決手段】屋立ちはぜ折板屋根Ｒの山形部１の頂部に形成される突条（立ちはぜ）４にクランプ６０を固定する。前記クランプ６０を利用して発泡樹脂製断熱板４０を配置して折板屋根面を平坦面とする。屋根面に取り付けた発泡樹脂製断熱板４０の上に長尺状の押さえ部材８０を配置して、クランプ６０との間で発泡樹脂製断熱板４０を挟持して固定する。しっかりと固定された発泡樹脂製断熱板４０の上に支柱（ネジ桿７０）を利用して緑化基盤材Ａを固定する。固定した緑化基盤材Ａの上に植生する。【選択図】図４
2010144459.tif 000002
【特許請求の範囲】
【請求項１】
立ちはぜ折板屋根の上に緑化基盤材を固定する固定構造であって、
一対のクランプ片で立ちはぜの突条を左右から挟み付けるようにして立ちはぜ部に固定されたクランプと、
前記固定されたクランプのクランプ片を利用して立ちはぜ折板屋根が平坦面となるように屋根面に取り付けられた発泡樹脂製断熱板と、
立ちはぜ部の突条の方向に沿って固定された複数個のクランプにわたる長さの長尺状の押さえ部材であって、前記屋根面に取り付けられた発泡樹脂製断熱板の上に配置され、前記クランプ片との間で前記発泡樹脂製断熱板を挟持している長尺状の押さえ部材と、
前記押さえ部材に立設された支柱と、
前記支柱を利用して前記発泡樹脂製断熱板の上に固定された緑化基盤材と、
を少なくとも有することを特徴とする立ちはぜ折板屋根への緑化基盤材の固定構造。
【請求項２】
前記緑化基盤材を覆うようにして不織布が配置されており、前記不織布は少なくとも前記押さえ部材に立設された支柱に留め付けられていることを特長とする請求項１に記載の立ちはぜ折板屋根への緑化基盤材の固定構造。
【請求項３】
前記発泡樹脂製断熱板と緑化基盤材との間に配置された防根シートをさらに有することを特徴とする請求項１または２に記載の立ちはぜ折板屋根への緑化基盤材の固定構造。
【請求項４】
前記発泡樹脂製断熱板の裏面に貼り付けられた不織布をさらに有することを特徴とする請求項１ないし３のいずれかに記載の立ちはぜ折板屋根への緑化基盤材の固定構造。
【請求項５】
立ちはぜの突条と前記突条を挟持するクランプ片との間に介装されたパッキン材をさらに有することを特徴とする請求項１ないし４のいずれかに記載の立ちはぜ折板屋根への緑化基盤材の固定構造。
【請求項６】
請求項１ないし５のいずれかに記載の立ちはぜ折板屋根への緑化基盤材の固定構造により固定された緑化基盤材の上に植物が植生されていることを特徴とする立ちはぜ折板屋根緑化構造体。
【発明の詳細な説明】
【技術分野】
【０００１】
本発明は、立ちはぜ折板屋根に対して緑化基盤材を安定して固定するための固定構造と、その固定構造を用いた立ちはぜ折板屋根緑化構造体に関する。
【背景技術】
【０００２】
屋内の温度上昇を抑制しかつ景観を向上させる等の目的で、屋根や屋上に植物を植生して屋上を緑化することが行われる。屋根や屋上に土壌層を有する植栽層を直接配置することもあり、発泡樹脂などで作られた保水性と排水性を備えた緑化基盤材を屋根や屋上に設置し、その上に植栽層を形成することもある。屋根や屋上の面が平坦面の場合には、植栽層あるいは緑化基盤材を安定的に配置することは容易であるが、立ちはぜ折板屋根の場合には、配置面が凹凸面であることから、植栽層や緑化基盤材を安定的に固定するために格別の技術的手段が講じられる。
【０００３】
その一例として、特開２００８−４５３２４号公報には、図９に示すように、立ちはぜ折板屋根Ｒの上に緑化基盤材Ａを固定する固定構造であって、一対のクランプ片６１，６１で立ちはぜの突条４を左右から挟み付けるようにして立ちはぜ部に固定されたクランプ６０と、固定されたクランプ６０に支持板７１を介して立設された支柱７０と、固定されたクランプ６０のクランプ片６１を利用して立ちはぜ折板屋根１が平坦面となるように屋根面に取り付けられた発泡樹脂製断熱板４０と、発泡樹脂製断熱板４０の上に支柱７０を利用して固定された緑化基盤材Ａと、を少なくとも有する構成の立ちはぜ折板屋根への緑化基盤材の固定構造が記載されている。
【０００４】
上記の固定構造では、立ちはぜ折板屋根Ｒに形成される立ちはぜである突条４に固定したクランプ６０のクランプ片６１を利用して、折板屋根Ｒの上に平坦面を形成するように発泡樹脂製断熱板４０が取り付けられており、断熱板４０の固定が安定するとともに、屋内側に対して高い断熱構造が形成される。また、クランプ６０として突条４を左右から挟み付ける一対のクランプ片６１，６１からなるものを用いており、突条４とクランプ片６１，６１との接触面は点接触でなく線あるいは面接触となるので、クランプ６０は突条４に堅固に固定されるとともに、折板屋根Ｒに形成される突条４が損傷を受けることもない。さらに、クランプ片６１を利用して取り付けられた発泡樹脂製断熱板４０の上に、クランプ６０に支持板７１を介して立設した支柱７０を利用して緑化基盤材Ａが固定されており、緑化基盤材Ａの固定も安定する。
【０００５】
【特許文献１】特開２００８−４５３２４号公報
【発明の開示】
【発明が解決しようとする課題】
【０００６】
図９に示す、立ちはぜ折板屋根の上に発泡樹脂製断熱板を取り付けて平坦面とし、その上に緑化基盤材を固定する構成の折板屋根緑化構造体において、屋根に作用する風によって生じる負圧に対して高い耐性を備えることが１つの要件となる。近年、高さが２０ｍあるいは３０ｍを越えるような高い建物の折板屋根に対しても、屋上緑化を施すことが求められるようになっており、地上からの高さが高くなる程、風による負圧は急激に大きくなることから、屋上緑化構造物に対して従来から求められている以上の高い安定性を備えるようにすることが必要となってきている。
【０００７】
本発明は、上記の要請に答えることのできる、立ちはぜ折板屋根の上に緑化基盤材を固定する固定構造を開示することを課題とする。
【課題を解決するための手段】
【０００８】
本発明による立ちはぜ折板屋根の上に緑化基盤材を固定する固定構造は、基本的に、一対のクランプ片で立ちはぜの突条を左右から挟み付けるようにして立ちはぜ部に固定されたクランプと、前記固定されたクランプのクランプ片を利用して立ちはぜ折板屋根が平坦面となるように屋根面に取り付けられた発泡樹脂製断熱板と、立ちはぜ部の突条の方向に沿って固定された複数個のクランプにわたる長さの長尺状の押さえ部材であって、前記屋根面に取り付けられた発泡樹脂製断熱板の上に配置され、前記クランプ片との間で前記発泡樹脂製断熱板を挟持している長尺状の押さえ部材と、前記押さえ部材に立設された支柱と、前記支柱を利用して前記発泡樹脂製断熱板の上に固定された緑化基盤材と、少なくとも有することを特徴とする。
【０００９】
本発明による立ちはぜ折板屋根への緑化基盤材の固定構造では、立ちはぜ部に固定されたクランプのクランプ片を利用して屋根面に取り付けられた発泡樹脂製断熱板は、その上に配置された前記長尺状の押さえ部材と前記クランプ片との間で挟持された姿勢で安定的に固定される。また、前記緑化基盤材は、前記長尺状の押さえ部材に立設した支柱によって、前記発泡樹脂製断熱板の上に固定される。そのために、発泡樹脂製断熱板および緑化基盤材の折板屋根に対する固定は強固かつ安定したものとなり、屋根上を吹く風によって生じる負圧に対して、高い耐性を示すようになる。
【００１０】
前記長尺状の押さえ部材は、限定されないが、ステンレス鋼のような金属板で作られることが望ましく、その横幅は５０〜２００ｍｍ程度である。長尺状の押さえ部材は単に平板状であってもよく、隣接する発泡樹脂製断熱板の接合部分に入り込む縦材を備えた断面Ｔ字形状をなすものであってもよい。
【００１１】
本発明において、クランプ、発泡樹脂製断熱板、緑化基盤材等の部材は、例えば前記特許文献１に記載されるような、従来知られた部材をそのまま用いることができる。例えば、発泡樹脂製断熱板を構成する樹脂材料には、例として、発泡ポリスチレン系樹脂、発泡ポリプロピレン系樹脂、発泡ポリエチレン系樹脂、発泡ウレタン系樹脂などが挙げられる。また、緑化基盤材は、軽量性と成形容易性の観点から発泡樹脂製が好ましいが、非発泡樹脂や発泡モルタルのような材料で造られていてもよい。緑化基盤材は客土層等からなる植栽層をそのまま収容する形態であってもよく、保水排水機能を備え、その上に植栽層を載置する形態のものでもよい。
【００１２】
本発明による立ちはぜ折板屋根への緑化基盤材の固定構造の好ましい態様において、前記緑化基盤材を覆うようにして不織布が配置され、前記不織布は少なくとも前記長尺状の押さえ部材に立設された支柱に留め付けられる。この態様では、不織布の押さえ効果により、屋根上を吹く風によって生じる負圧に対する耐性をさらに高いものとすることができる。
【００１３】
本発明は、また、上記した立ちはぜ折板屋根への緑化基盤材の固定構造により固定された緑化基盤材の上に植物が植生されていることを特徴とする立ちはぜ折板屋根緑化構造体も開示する。植物を植生する態様は、従来知られた屋上緑化の場合と同様であってよい。緑化基盤材の中に土壌を敷いて、そこで植物を育成してもよく、従来知られた適宜の植栽層を緑化基盤材の上に敷設する植生態様であってもよい。いずれの場合も、植生基盤材は保水性と必要以上の水を流下する排水性を備えた基盤材であることが望ましい。
【発明の効果】
【００１４】
本発明によれば、立ちはぜ折板屋根の上に、屋根上を吹く風によって生じる負圧に対して高い耐性を示すことができ、かつ屋根に対して高い断熱効果を備えた状態で緑化基盤材を固定することができる。また、そのようにして固定した緑化基盤材の上に植物を植生することにより、安定した構造の屋上緑化構造体を立ちはぜ折板屋根の上に構築することができる。
【発明を実施するための最良の形態】
【００１５】
以下、図面を参照しながら、本発明を実施の形態に基づき説明する。図１は立ちはぜ折板屋根の一例を示し、図２は本発明で用いるクランプおよび長尺状の押さえ部材を示す。図３は図２に示すクランプを立ちはぜ折板屋根の突条に取り付ける態様を説明する図であり、図４はそのようにして固定したクランプを利用して立ちはぜ折板屋根の上に発泡樹脂製断熱板と緑化基盤材を固定した状態を示す。図５はその平面図である。図６は本発明による緑化基盤材の固定構造の他の形態を説明する図であり、図７、図８は本発明による固定構造で固定された緑化基盤材を利用して作った立ちはぜ折板屋根緑化構造体を示している。
【００１６】
最初に、図１を用いて、立ちはぜ折板屋根Ｒの一例を説明する。図１（ａ）に示すように、立ちはぜ折板屋根Ｒは、図１（ｂ）に断面を示す左右の立ち上がり縁の上端部に互いに係合する湾曲部３ａ，３ｂを形成した長尺状の屋根板３を、隣接する屋根板３，３の湾曲部同士を係合（はぜ継ぎ）しながら、梁５の上に専用の取り付け具６を利用して固定するようにしており、屋根勾配方向であるＸ方向に走る山形部１が軒先方向であるＹ方向に所定ピッチＰａで連続している。そして、前記山形部１の頂部２には屋根板３を連接したときの丸みを持つ突条（立ちはぜ）４が屋根勾配方向に走っている。このような立ちはぜ折板屋根Ｒの上に発泡樹脂製断熱板４０および緑化基盤材Ａ（図５等参照）を固定して、本発明による立ちはぜ折板屋根緑化構造体とする。
【００１７】
図２は、そこで用いるクランプ６０と、そこに固定される長尺状の押さえ部材８０を示す。クランプ６０は、一定の横幅を持つ左右一対のクランプ片６１，６１で構成される。各クランプ片６１は、立ちはぜである突条４の下方領域を押さえ付ける挟持先端部６２ａとその上方の第１の水平部６２ｂとからなる膨出部６３と、前記挟持先端部６２ａの先端位置とほぼ同じ垂直位置において前記第１の水平部６２ｂから立ち上がる垂直部６４と、前記垂直部６４の上端に位置する第２の水平部６５とを有し、垂直部６４には左右のクランプ片６１、６１を一体に締め付けるときに用いるボルトのためのボルト孔６６が形成されている。また、第２の水平部６５には、長尺状の押さえ部材８０を取り付けるためのボルト孔６７が形成されている。
【００１８】
前記膨出部６３の内面側の形状は、好ましくは立ちはぜである突条４の外郭形状に一致した形状であり、その大きさは、左右のクランプ片６１、６１を締め付けたときに突条４をわずかに圧縮して変形させるように大きさとされる。しかし、膨出部６３の内面側の形状は、左右のクランプ片６１、６１を締め付けたときに、その内周面が部分的に突条４に接触するような形状、あるいはまったく接しない形状であっても差し支えない。また、図示の例では、挟持先端部６２ａ，６２ａの先端は先鋭となっているが、先端を外側に反らし、突条４に当たる面を曲面とすることもできる。
【００１９】
クランプ６０の固定に際しては、図３に示すように、左右のクランプ片６１，６１の膨出部６３の間に突条４を挟み込んだ姿勢とし、双方の垂直部６４に形成したボルト孔６６にボルトを通してナットで締め付ける。一定の横幅を持つ挟持先端部６２の先端と膨出部６３の内面側とで突条４を両側から押さえ付けた状態で、クランプ６０は突条４に固定されるので、クランプ６０の固定状態はきわめて安定したものとなる。
【００２０】
前記長尺状の押さえ部材８０は、例えばステンレス鋼のような金属材料で作られており、前記左右一対のクランプ片６１，６１を立ちはぜ突条４に取り付けたときに、２つの第２の水平部６５、６５で形成される幅の横幅あるいはそれよりも幅広の横幅を持つが、これに限らない。通常の場合、５０〜２００ｍｍの範囲であり、最も一般的には、１００ｍｍ前後である。長尺状の押さえ部材８０の長さは、前記突条４に屋根勾配方向であるＸ方向（図１参照）に固定される複数個のクランプ６０における、少なくとも隣接する２個のクランプ６０間にわたることのできる長さである。
【００２１】
長尺状の押さえ部材８０には、支柱として機能する所要本数のネジ桿７０が、後記する所要の間隔で立設されており、さらに、屋根面に配置したときに固定されたクランプ６０に対向する位置には、そのクランプ片６１、６１の第２の水平部６５に形成したボルト孔６７，６７に一致するようにして、ボルト孔８１、８１が形成されている。なお、ボルトナットを用いずにドリルビス等を用いてこれらを固定する場合は、ボルト孔６６，６７、８１は省略してもよく、ボルト孔に替えて小孔を形成しておいてもよい。
【００２２】
上記のようにして、複数個のクランプ６０を立ちはぜである突条４の必要箇所に固定した後、それを利用して、発泡樹脂製断熱板４０および緑化基盤材Ａを立ちはぜ折板屋根Ｒの上に固定する。以下、それを説明する。なお、図示の例で使用する緑化基盤材Ａは、図５に示すように、屋根勾配方向であるＸ方向と軒先方向であるＹ方向に所定ピッチ（Ｐ１，Ｐ２）で取り付け孔１１が形成されており、軒先方向のピッチＰ２は立ちはぜ折板屋根Ｒの突条４・・のピッチＰａと等しいかその整数倍である。従って、立ちはぜ折板屋根Ｒの軒先方向であるＹ方向では、緑化基盤材１０のＹ方向の取り付け孔のピッチＰ２に一致した突条４に対して、クランプ６０が固定される。そして、前記クランプ６０を固定した突条４での屋根勾配方向であるＸ方向には、適宜の間隔をおいて、複数個のクランプ６０が固定される。
【００２３】
所要数のクランプ６０を突条４に固定した後、隣接する突条４，４の間に発泡樹脂製断熱板４０を取り付ける。その際に、図４に示すように、発泡樹脂製断熱板４０の両側部を、固定したクランプ６０の各クランプ片６１における前記第１の水平部６２ｂ，垂直部６４，第２の水平部６５で形成される断面コ字状空間内に差し込むようにする。それにより、立ちはぜ折板屋根Ｒの上面は、全体が発泡樹脂製断熱板４０で覆われた状態となり、平坦面が形成される。すなわち、ここで使用する発泡樹脂製断熱板４０は、軒先方向（Ｙ方向）である横幅は、クランプ６０が固定された隣接する突条４、４間の距離とほぼ等しく、厚さは、クランプ片６１における第１の水平部６２ｂと第２の水平部６５との内側間の距離にほぼ等しい。なお、発泡樹脂製断熱板４０の屋根勾配方向（Ｘ方向）の長さは任意である。
【００２４】
次に、突条４に固定した複数個のクランプ６０における一対のクランプ片６１、６１の上に、前記した長尺状の押さえ部材８０をその長手方向が屋根勾配方向であるＸ方向となるようにして配置し、長尺状の押さえ部材８０に形成したボルト孔８１とクランプ片６１に形成したボルト孔６７を利用して、長尺状の押さえ部材８０をクランプ６０に対してボルト等の適宜の固定手段により固定する。それにより、突条４に固定したクランプ６０の前記断面コ字状空間内に差し込むようにして取り付けられた発泡樹脂製断熱板４０は、その屋根勾配方向であるＸ方向の側縁部全部が、長尺状の押さえ部材８０によってさらに上から押さえられるようになり、安定した取り付け姿勢が得られる。
【００２５】
前記したように、長尺状の押さえ部材８０には、支柱として機能する所要本数のネジ桿７０が所要の間隔をおいて立設されている。この例において、ネジ稈７０のピッチ（間隔）は、前記した緑化基盤材Ａに形成した取り付け孔１１の屋根勾配方向であるＸ方向のピッチＰ１と等しくされている。なお、ネジ稈７０は、あらかじめ長尺状の押さえ部材８０に固定的に立設しておいてもよく、施工現場において、長尺状の押さえ部材８０に所定ピッチで取り付けるようにしてもよい。
【００２６】
図５に示す例において、立ちはぜ折板屋根Ｒに固定する緑化基盤材Ａは、実質的な正方形である単位緑化基盤材１０を複数枚組み付けて構成される。単位緑化基盤材１０は発泡樹脂の成形品であり、図４にも示すように保水用空間１２と植栽層支持体１３を有し、周壁部には互いに嵌合する接続用凹凸部１４が形成される。各偶部には孔１１が形成されており、接続用凹凸部１４を利用して隣接する単位緑化基盤材１０、１０を組み付けたときに、上下に連通する取り付け孔１１となる。この例では、複数枚の単位緑化基盤材１０を組み付けて緑化基盤材Ａとしたときに、前記各取り付け孔１１は、屋根勾配方向であるＸ方向ではピッチＰ１で配列しており、軒先方向であるＹ方向ではピッチＰ２で配列している。なお、緑化基盤材Ａは一枚物で作られていてもよいが、その場合でも、ピッチＰ１およびピッチＰ２で取り付け孔１１が形成される。
【００２７】
図４に示すように、発泡樹脂製断熱板４０を敷き詰めた状態で、隣接する発泡樹脂製断熱板４０の間には、クランプ６０の各クランプ片６１に起因する隙間ｓが形成されやすい。その隙間ｓは狭い幅であり放置しても差し支えない。しかし、より完全な断熱性を望む場合には、隙間ｓに発泡樹脂製断熱材など適宜の断熱材を挿入する。図示しないが、発泡樹脂製断熱板４０におけるクランプ６０の各クランプ片６１の位置に相当する箇所に、切り欠きを設けておくことにより、隙間ｓを無くすこともできる。また、隣り合う発泡樹脂製断熱板４０をより安定的に設置したい場合には、隙間ｓにＨ型ジョイナーなど適宜の連結材を挿入することもできる。さらに、長尺状の押さえ部材８０として、図示のように単に平板状のものでなく、前記した隙間ｓに入り込むことのできる縦材を持つ断面Ｔ字状のものを用いることによっても、隙間をなくすことができる。
【００２８】
長尺状の押さえ部材８０を前記のようにして固定した後、必要枚数の単位緑化基盤材１０を、長尺状の押さえ部材８０に立設したネジ桿７０を前記取り付け孔１１に貫通させながら、発泡樹脂製断熱板４０の上に配置する。図４に示すように、単位緑化基盤材１０から飛び出ているネジ桿７０にナット７３をネジ込むことにより、単位緑化基盤材１０は立ちはぜ折板屋根Ｒの上にしっかりと固定される。すべての単位緑化基盤材１０に対してナット７３による締め付けを行うことにより、図４、図５に示すように、本発明による立ちはぜ折板屋根への緑化基盤材の固定構造が完成する。前記したように、立ちはぜ折板屋根Ｒの上面を平坦面とするために、その上に配置された複数枚の発泡樹脂製断熱板４０は、その前記Ｘ方向の側縁の全長が長尺状の押さえ部材８０によって押さえられており、本発明による固定構造は全体として、負圧に対して高い安定性を示す。
【００２９】
図示しないが、発泡樹脂製断熱板４０として、その上面に防根シートを積層したものを用いることもできる。この形態では、立ちはぜ折板屋根緑化構造体としたときに、植物の根により発泡樹脂製断熱板４０が損傷を受けるのを防止することができる。防根シートは非透水性のシートであることはより好ましく、非透水性シートの例としては、発泡ポリエチレン製シートにポリスチレンをラミネートしたシートが挙げられる。
【００３０】
発泡樹脂製断熱板４０の裏面側に不織布を貼り付けるようにしてもよい。不織布を貼り付けることにより、発泡樹脂製断熱板４０の上載荷重に対する強度が大きくなるので、発泡樹脂製断熱板４０の上に人が乗って緑化基盤材Ａを固定するとき等の作業性を安定化させることができる。
【００３１】
また、前記したように、ネジ桿７０を利用して単位緑化基盤材１０を固定するときに、単位緑化基盤材１０から飛び出ているネジ桿７０に広い面積の押さえ板を取り付けた後、ナット７３をネジねじ込んで単位緑化基盤材１０は立ちはぜ折板屋根Ｒの上に固定するようにしてもよい。このような広い面積の押さえ板を用いることにより、より安定した単位緑化基盤材１０の固定構造を得ることができる。
【００３２】
図６は固定構造の他の形態を示しており、この形態では、立ちはぜの突条４にクランプ片６１，６１を固定するときに、突条４と突条４を挟持するクランプ片６１，６１との間にパッキン材７５を介装するようにしている。パッキン材７５の例としては、ポリスチレン系樹脂発泡体、ポリウレタン系樹脂発泡体、塩化ビニル系樹脂発泡体、等が挙げられる。この構成とすることにより、突条４の防錆処理が剥がれた場合に、通常は異種金属である屋根板１とクランプ片６１との接触による腐食電流が流れるのを効果的に阻止することができ、立ちはぜ部の腐食によりクランプ６０の固定が不安定になるのを長期にわたって回避することができる。また、図８に示す挟持先端部６２ａ，６２ａの先端を外側に反らし、突条４に当たる面を曲面とすることもできる。こうすることによって、突条４をより傷つけることなくクランプ片６１，６１を堅固に固定できる。
【００３３】
図７、図８は、上記のようにして固定された緑化基盤材Ａを利用して作られた立ちはぜ折板屋根緑化構造体Ｂの一例を示す。図７は立ちはぜ折板屋根Ｒの側方から見た図であり、図８は立ちはぜ折板屋根Ｒの軒先方向から見た図である。図７に示すように、立ちはぜ折板屋根Ｒの軒先には前記Ｙ方向に軒先見切り材５０が取り付けられ、また、図８に示すように、その両側（図８には左側方のみが示される）には前記Ｘ方向に、すなわち山形部１に沿うようにして側縁見切り材５１が取り付けられる。見切り材５０，５１で区画された領域に、図４に示したようにして、立ちはぜ折板屋根Ｒが平坦面となるように発泡樹脂製断熱板４０が取り付けられ、発泡樹脂製断熱板４０は、その上に配置した長尺状の押さえ部材８０によって屋根面に対して安定的に取り付けられ、さらに、長尺状の押さえ部材８０に立設した支柱（ネジ桿７０）を用いて単位緑化基盤材１０・・・が安定的に固定されて、緑化基盤材Ａとされている（なお、図７、図８では、クランプ６０、クランプ片６１および長尺状の押さえ部材８０は図示を省略している）。また、発泡樹脂製断熱板４０と緑化基盤材Ａとの間には、前記した防根シートが配置され、植物の根により発泡樹脂製断熱板４０や立ちはぜ折板屋根Ｒが損傷するのを防止している。固定された緑化基盤材Ａの上には、必須のものではないが、好ましくは根止め機能を備えた不織布５３が敷設されており、該不織布５３は、少なくとも長尺状の押さえ部材８０に立設された支柱（ネジ桿７０）によって部分的に留め付けられている。その上に、従来知られたようにして、適宜の植栽層５４が形成され、好ましくは、図示しないが、植栽層５４の上面に土壌の吹き飛び防止ネットを設置される。
【００３４】
このようにして構築した立ちはぜ折板屋根緑化構造体Ｂの上から散水すると、水は植栽層５４を透過して緑化基盤材Ａの保水用空間１２に溜まり、その水は植栽層５４に植生した植物５５の生育を助ける。また、雨水を含む余分な水は、緑化基盤材Ａをオーバーフローして流下する。
【図面の簡単な説明】
【００３５】
【図１】図１（ａ）は立ちはぜ折板屋根の一例を示す斜視図、図１（ｂ）はそこで使用する屋根板を示す断面図。
【図２】立ちはぜである突条に固定するクランプとそこに固定される長尺状の押さえ部材を説明するための図。
【図３】図２に示すクランプを立ちはぜ折板屋根の突条に取り付ける態様を説明する図。
【図４】固定したクランプおよび長尺状の押さえ部材を利用して立ちはぜ折板屋根の上に緑化基盤材を固定した状態を説明する図。
【図５】立ちはぜ折板屋根の上に固定した緑化基盤材を示す平面図。
【図６】クランプの固定状態の他の形態を説明する図。
【図７】本発明による固定構造で固定された緑化基盤材を利用して作った立ちはぜ折板屋根緑化構造体を立ちはぜ折板屋根の側方から見て示す図。
【図８】図７に示す立ちはぜ折板屋根緑化構造体を立ちはぜ折板屋根の軒先方向から見て示す図。
【図９】立ちはぜ折板屋根に緑化基盤材を固定するときの従来例を説明するための図。
【符号の説明】
【００３６】
Ｒ…立ちはぜ折板屋根、
Ａ…緑化基盤材、
Ｂ…立ちはぜ折板屋根緑化構造体、
Ｐａ…山形部のピッチ、
Ｘ…屋根勾配方向、
Ｙ…軒先方向、
４…突条（立ちはぜ）、
１０…単位緑化基盤材、
１１…取り付け孔、
１２…保水用空間、
１３…植栽層支持体、
４０…発泡樹脂製断熱板、
５４…植栽層、
６０…クランプ、
６１…クランプ片、
７０…支柱（ネジ桿）、
８０…長尺状の押さえ部材。
【図１】
2010144459.tif 000003
【図２】
2010144459.tif 000004
【図３】
2010144459.tif 000005
【図４】
2010144459.tif 000006
【図５】
2010144459.tif 000007
【図６】
2010144459.tif 000008
【図７】
2010144459.tif 000009
【図８】
2010144459.tif 000010
【図９】
2010144459.tif 000011